(57)【要約】【課題】色ムラを生じ難くする。【解決手段】バックライト装置１２は、ＬＥＤ１７と、ＬＥＤ１７から発せられた光の少なくとも一部を透過する反射板１９と、ＬＥＤ１７からの光の少なくとも一部を波長変換する蛍光体を含む波長変換シート２１と、波長変換シート２１及び反射板１９における中央側に位置していてＬＥＤ１７が配置されるＬＥＤ配置領域ＬＡと、波長変換シート２１及び反射板１９における外端側に位置していてＬＥＤ１７が非配置とされるＬＥＤ非配置領域ＬＮＡと、ＬＥＤ１７からの光が外部に出射するまでの出光経路においてＬＥＤ非配置領域ＬＮＡの一部と重畳するよう配されていて、ＬＥＤ１７からの光と同色、又はその光を構成する各原色光と同色を呈する呈色部２７と、を備える。【選択図】図５
2019139906.tif 000002
【特許請求の範囲】
【請求項１】
光源と、
前記光源に対して出光側に間隔を空けて配されて前記光源から発せられた光の少なくとも一部を透過する反射板と、
前記反射板に対して前記光源側とは反対側に間隔を空けて配されて前記光源からの光の少なくとも一部を波長変換する蛍光体を含む波長変換シートと、
前記波長変換シート及び前記反射板における中央側に位置していて前記光源が配置される光源配置領域と、
前記波長変換シート及び前記反射板における外端側に位置していて前記光源が非配置とされる光源非配置領域と、
前記光源からの光が外部に出射するまでの出光経路において前記光源非配置領域の一部と重畳するよう配されていて、前記光源からの光と同色、又はその光を構成する各原色光と同色を呈する呈色部と、を備える照明装置。
【請求項２】
前記呈色部は、前記反射板に設けられている請求項１記載の照明装置。
【請求項３】
前記呈色部は、前記反射板における前記波長変換シート側の板面に設けられている請求項２記載の照明装置。
【請求項４】
前記反射板は、光を反射する光反射部と、光を透過する光透過部と、を有しており、
前記呈色部は、前記光反射部に設けられていて前記光透過部から離間した位置に配されている請求項３記載の照明装置。
【請求項５】
前記反射板は、光を反射する光反射部と、光を透過する光透過部と、を有しており、
前記呈色部は、前記光反射部に設けられていて前記光透過部を取り囲むよう配される請求項４記載の照明装置。
【請求項６】
前記反射板は、少なくとも前記光源配置領域に配される反射底部と、前記光源非配置領域に配されて前記反射底部から外端側に傾斜しつつ前記波長変換シート側に向かって立ち上がる反射側部と、を少なくとも有しており、
前記呈色部は、少なくとも前記反射側部に設けられている請求項２から請求項５のいずれか１項に記載の照明装置。
【請求項７】
前記呈色部は、前記光源からの距離が大きくなるほど面積比率が大きくなるよう配される請求項６記載の照明装置。
【請求項８】
前記波長変換シートに対して前記反射板側に重なる形で配される光学部材を備えており、
前記呈色部は、前記光学部材に設けられている請求項１記載の照明装置。
【請求項９】
前記呈色部は、前記波長変換シートに設けられている請求項１記載の照明装置。
【請求項１０】
前記反射板は、光を反射する光反射部と、光を透過する光透過部と、を有しており、
前記光反射部は、前記光源非配置領域よりも前記光源配置領域の方が面積比率が高くなるよう設けられ、前記光透過部は、前記光源配置領域よりも前記光源非配置領域の方が面積比率が高くなるよう設けられている請求項１から請求項９のいずれか１項に記載の照明装置。
【請求項１１】
前記反射板は、光を反射する反射基板を有していて、前記反射基板を部分的に開口させることで光を透過する光透過部が形成されるのに対し、前記反射基板のうちの前記光透過部の非形成箇所が光を反射する光反射部を構成する請求項１から請求項１０のいずれか１項に記載の照明装置。
【請求項１２】
前記反射板は、光を透過する透過基板を有していて、前記透過基板の板面に部分的に光を反射する光反射部が形成されるのに対し、前記透過基板のうちの前記光反射部の非形成箇所が光を透過する光透過部を構成する請求項１から請求項１０のいずれか１項に記載の照明装置。
【請求項１３】
前記光源は、青色光と赤色光とを含むマゼンタ色光を発し、前記波長変換シートは、前記蛍光体として、前記青色光を緑色光に波長変換する緑色蛍光体を含む請求項１から請求項１２のいずれか１項に記載の照明装置。
【請求項１４】
請求項１から請求項１３のいずれか１項に記載の照明装置と、
前記照明装置から照射される光を利用して画像を表示する表示パネルと、を備える表示装置。
【請求項１５】
請求項１４記載の表示装置を備えるテレビ受信装置。
【発明の詳細な説明】
【技術分野】
【０００１】
本発明は、照明装置、表示装置及びテレビ受信装置に関する。
【背景技術】
【０００２】
従来の液晶表示装置に備わる面照明光源装置の一例として、特許文献１に記載のものが挙げられる。特許文献１に記載された面照明光源装置は、所定面積の底面及び側面並びに開口を有し内部に反射体が設けられ、底面に点光源が配設されたケーシングと、点光源から所定距離離れて開口を覆い、光を透過及び反射させる放射側反射手段とを備え、点光源の真上部分に所定範囲の中央反射部と中央反射部の外周囲に外方反射部とを有し、外方反射部は、一部光を透過、反射及び乱反射し所定の反射率を有する反射部材からなり、中央反射部は外方反射部の反射率より高い反射率を有する光透過性の反射部で形成されている。
一方、ＬＥＤ光源と蛍光体とを組み合わせて所望の白色光を得る照明装置の一例として、特許文献２に記載のものが挙げられる。特許文献２に記載された照明装置は、放射面と、放射面に対向して配置された少なくとも１つの光源と、放射面と光源との間に光源から離間して配置され、光源からの光により励起される蛍光体をパターニングした蛍光体層と、を備えている。
【先行技術文献】
【特許文献】
【０００３】
【特許文献１】特許第５６７８２４３号公報
【０００４】
【特許文献２】特許第５５３２３２９号公報
【発明の概要】
【発明が解決しようとする課題】
【０００５】
上記した特許文献１に記載された面照明光源装置では、反射部材によって点光源の光を反射・透過することで均一な照明光を得る、とされている。しかしながら、大型化が進行すると、光源が配置される領域と、光源が非配置とされる領域と、で光量に差が生じ易くなり、均一な照明光を得るのが難しくなるおそれがある。一方、上記した特許文献２に記載された照明装置では、蛍光体層が、光源から離れるほど蛍光体層の専有面積が大きくなるパターンとされている。しかしながら、大型の照明装置では光源を複数設置するため、蛍光体層のパターンが複雑化する問題や複数の光源に対する蛍光体層の位置合わせを高精度で行う必要が生じるという問題などが発生してしまう。これを避けるには、蛍光体層を均一な分布で形成することが考えられるものの、そうすると蛍光体層に照射される光の量が、光源が配置される領域と、光源が非配置とされる領域と、で異なることに起因して色ムラが生じるおそれがあった。
【０００６】
本発明は上記のような事情に基づいて完成されたものであって、色ムラを生じ難くすることを目的とする。
【課題を解決するための手段】
【０００７】
本発明の照明装置は、光源と、前記光源に対して出光側に間隔を空けて配されて前記光源から発せられた光の少なくとも一部を透過する反射板と、前記反射板に対して前記光源側とは反対側に間隔を空けて配されて前記光源からの光の少なくとも一部を波長変換する蛍光体を含む波長変換シートと、前記波長変換シート及び前記反射板における中央側に位置していて前記光源が配置される光源配置領域と、前記波長変換シート及び前記反射板における外端側に位置していて前記光源が非配置とされる光源非配置領域と、前記光源からの光が外部に出射するまでの出光経路において前記光源非配置領域の一部と重畳するよう配されていて、前記光源からの光と同色、又はその光を構成する各原色光と同色を呈する呈色部と、を備える。
【０００８】
このようにすれば、光源から発せられた光は、反射板を直接透過するか、若しくは反射板により反射された後に透過する。反射板を透過した光は、波長変換シートに照射され、波長変換シートを透過する際に少なくとも一部が蛍光体により波長変換されて外部に出射される。ここで、波長変換シート及び反射板における中央側に位置していて光源が配置される光源配置領域では、波長変換シートに照射される光源の光が十分に確保されている。従って、光源配置領域では、波長変換シートにて波長変換されてから出射する光と、波長変換シートにて波長変換されることなく出射する光と、の光量比率が適切なものとなり、色ムラが生じ難くなっている。一方、波長変換シート及び反射板における外端側に位置していて光源が非配置とされる光源非配置領域では、波長変換シートに照射される光源の光が不足しがちとなっている。このため、光源非配置領域では、波長変換シートにて波長変換されてから出射する光の光量比率が、波長変換シートにて波長変換されることなく出射する光の光量比率よりも大きくなりがちとされ、それに起因して色ムラが生じ易くなっている。
【０００９】
これに対し、光源からの光が外部に出射するまでの出光経路には、光源からの光と同色、又はその光を構成する各原色光と同色を呈する呈色部が、光源非配置領域の一部と重畳するよう配されているので、光源非配置領域において不足しがちな光源の光と同色、又はその光を構成する各原色光と同色を呈する光を呈色部によって補うことができる。これにより、光源非配置領域において波長変換シートに照射される光源の光に不足が生じ難くなるので、波長変換シートにて波長変換されてから出射する光と、波長変換シートにて波長変換されることなく出射する光と、の光量比率が適正化され、もって色ムラの発生が抑制される。
【発明の効果】
【００１０】
本発明によれば、色ムラを生じ難くすることができる。
【図面の簡単な説明】
【００１１】
【図１】本発明の実施形態１に係るテレビ受信装置の概略構成を示す分解斜視図
【図２】液晶表示装置における図１のＡ−Ａ線断面図
【図３】液晶表示装置に備わるバックライト装置の平面図
【図４】バックライト装置の角部付近を拡大した平面図
【図５】液晶表示装置における図４のＢ−Ｂ線断面図
【図６】液晶表示装置における図４のＣ−Ｃ線断面図
【図７】本発明の実施形態２に係る液晶表示装置に備わるバックライト装置の平面図
【図８】バックライト装置の角部付近を拡大した平面図
【図９】液晶表示装置における図８のＢ−Ｂ線断面図
【図１０】本発明の実施形態３に係る液晶表示装置に備わるバックライト装置の角部付近を拡大した平面図
【図１１】本発明の実施形態４に係る液晶表示装置の端部付近を拡大した断面図
【図１２】本発明の実施形態５に係る液晶表示装置の端部付近を拡大した断面図
【図１３】本発明の実施形態６に係る液晶表示装置の端部付近を拡大した断面図
【図１４】本発明の実施形態７に係る液晶表示装置の端部付近を拡大した断面図
【発明を実施するための形態】
【００１２】
＜実施形態１＞
本発明の実施形態１を図１から図６によって説明する。本実施形態では、液晶表示装置１０について例示する。なお、各図面の一部にはＸ軸、Ｙ軸及びＺ軸を示しており、各軸方向が各図面で示した方向となるように描かれている。また、図２，図５及び図６などに示す上側を表側とし、同図下側を裏側とする。
【００１３】
本実施形態に係るテレビ受信装置１０ＴＶは、図１に示すように、全体として横長の略方形状をなす液晶表示装置１０と、当該液晶表示装置１０を挟むようにして収容する表裏両キャビネット１０Ｃ１，１０Ｃ２と、電源１０Ｐと、テレビ信号を受信するチューナー（受信部）１０Ｔと、スタンド１０Ｓと、を備えて構成される。液晶表示装置１０は、図２に示すように、画像を表示する液晶パネル（表示パネル）１１と、液晶パネル１１に表示のための光を供給するバックライト装置（照明装置）１２と、を備え、これらが枠状のベゼル１３などにより一体的に保持される。
【００１４】
次に、液晶表示装置１０を構成する液晶パネル１１及びバックライト装置１２について順次に説明する。このうち、液晶パネル（表示パネル）１１は、図１に示すように、平面に視て横長な方形状をなしており、一対のガラス基板が所定のギャップを隔てた状態で貼り合わせられるとともに、両ガラス基板間に液晶が封入された構成とされる。一方のガラス基板（アレイ基板、アクティブマトリクス基板）には、互いに直交するソース配線とゲート配線とに接続されたスイッチング素子（例えばＴＦＴ）、そのスイッチング素子に接続された画素電極、さらには配向膜等が設けられ、他方のガラス基板（対向基板、ＣＦ基板）には、Ｒ（赤色），Ｇ（緑色），Ｂ（青色）等の各着色部が所定配列で配置されたカラーフィルタ、着色部間の混色を防ぐための遮光部、さらには配向膜等が設けられている。液晶パネル１１は、図２に示すように、画像を表示可能な表示面１１ＤＳを有しており、その表示面１１ＤＳのうち、中央側部分が、画像が表示される表示領域とされるのに対し、外周側部分が表示領域を取り囲む枠状の非表示領域とされる。なお、両ガラス基板の外側にはそれぞれ偏光板が配されている。
【００１５】
続いて、バックライト装置１２について詳しく説明する。バックライト装置１２は、図２に示すように、表側（出光側、液晶パネル１１側）に開口する光出射部１４Ｂを有して略箱型をなすシャーシ１４と、シャーシ１４の光出射部１４Ｂを覆うようにして配される光学部材１５と、シャーシ１４の外縁部に沿って配され光学部材１５の外縁部をシャーシ１４との間で挟んで保持するフレーム１６と、を備える。さらに、シャーシ１４内には、ＬＥＤ（光源）１７と、ＬＥＤ１７が実装されたＬＥＤ基板（光源基板）１８と、ＬＥＤ１７と光学部材１５との間に配されてシャーシ１４内の光を反射させる反射板１９と、が備えられる。このように、本実施形態に係るバックライト装置１２は、シャーシ１４内において液晶パネル１１及び光学部材１５の直下位置にＬＥＤ１７が配される、いわゆる直下型とされる。以下では、バックライト装置１２の各構成部品について詳しく説明する。
【００１６】
シャーシ１４は、例えばアルミニウム板や電気亜鉛めっき綱板（ＳＥＣＣ）などの金属板からなり、図２及び図３に示すように、液晶パネル１１と同様に横長な方形状（矩形状、長方形状）をなす底板部（底部）１４Ａと、底板部１４Ａの各辺（一対の長辺及び一対の短辺）の外端部からそれぞれ表側（出光側）に向けて立ち上がる側板部（側部）１４Ｃと、各側板部１４Ｃの立ち上がり端から外向きに張り出す受け板部（光学部材支持部）１４Ｄと、受け板部１４Ｄの外端部から表側に向けて立ち上がる立板部１４Ｅと、からなり、全体としては表側に向けて開口した浅い略箱型をなしている。シャーシ１４は、その長辺方向がＸ軸方向と一致し、短辺方向がＹ軸方向と一致している。底板部１４Ａは、ＬＥＤ基板１８に対して裏側、つまりＬＥＤ１７に対して出光側とは反対側に配されている。各側板部１４Ｃは、底板部１４Ａに対して傾斜状をなしている。各受け板部１４Ｄは、表側から載置される光学部材１５や反射板１９の外端部を支持可能とされる。各受け板部１４Ｄは、底板部１４Ａの外端部に対して各側板部１４Ｃを介して連ねられている。各立板部１４Ｅは、各受け板部１４Ｄに載置された光学部材１５及び反射板１９の端面と対向状をなすとともに、後述するフレーム１６が固定されている。
【００１７】
光学部材１５は、液晶パネル１１及びシャーシ１４と同様に平面に視て横長の方形状をなしており、図２に示すように、その外端部が受け板部１４Ｄにより支持されることで、シャーシ１４の光出射部１４Ｂを覆うとともに、液晶パネル１１とＬＥＤ１７との間に介在して配される。光学部材１５は、ＬＥＤ１７に対して表側、つまり出光側にＺ軸方向（正面方向）について所定の間隔を空けて対向状をなしている。光学部材１５は、相対的に裏側（ＬＥＤ１７側、出光側とは反対側）に配される第１光学部材１５Ａと、第１光学部材１５Ａに対してフレーム１６を挟んで相対的に表側に配される第２光学部材１５Ｂと、から構成される。第１光学部材１５Ａは、その外端部がシャーシ１４の受け板部１４Ｄに対して表側に重なる形で載置される。第１光学部材１５Ａには、拡散板２０と、波長変換シート２１と、が含まれる。このうち、拡散板２０は、所定の厚みを持つほぼ透明な樹脂製の基材内に拡散粒子を多数分散して設けた構成とされ、透過する光を拡散させる機能を有する。なお、波長変換シート２１に関しては、後に改めて詳しく説明する。
【００１８】
第２光学部材１５Ｂは、その外端部がフレーム１６に対して表側に重なる形で載置されており、第１光学部材１５Ａとの間にフレーム１６の厚み分の間隔が空けられている。第２光学部材１５Ｂは、プリズムシート（レンズシート）２２と、プリズムシート２２の表側に重ねられる反射型偏光シート２３と、から構成される。プリズムシート２２は、シート状の基材と、基材の表側の表面に設けられるプリズム部とからなる。プリズム部は、長辺方向（Ｘ軸方向）に沿って延びつつ、短辺方向（Ｙ軸方向）に並ぶ複数の単位プリズムから構成されている。プリズムシート２２は、このようなプリズム部を備えることにより、第１光学部材１５Ａ側からの光に、単位プリズムの並び方向（Ｙ軸方向）について選択的に集光作用（異方性集光作用）を付与できる。反射型偏光シート２３は、反射型偏光フィルムと、反射型偏光フィルムを表裏から挟み込む一対の拡散フィルムとからなる。反射型偏光フィルムは、例えば、屈折率の互いに異なる層を交互に積層した多層構造からなり、プリズムシート２２からの光のうち、ｐ波を透過させ、ｓ波を裏側へ反射させる。反射型偏光フィルムによって反射されたｓ波は、後述する反射板１９等によって、再度表側に反射され、その際に、ｓ波とｐ波に分離する。このように、反射型偏光シート２３は、反射型偏光フィルムを備えることで、本来ならば、液晶パネル１１の偏光板によって吸収されるｓ波を、裏側（反射板１９側）へ反射させることで有効活用することができ、光の利用効率（輝度）を高めることができる。一対の拡散フィルムは、ポリカーボネート樹脂等の透明な合成樹脂材料からなり、反射型偏光フィルム側とは反対側の表面に、光に拡散作用を付与するためのエンボス加工が施されている。
【００１９】
フレーム１６は、合成樹脂からなり、光反射性を有するように白色塗装されており、図２に示すように、全体として液晶パネル１１及び光学部材１５の外周縁部に沿う枠状をなしている。フレーム１６は、各受け板部１４Ｄと対向状をなしていて各受け板部１４Ｄとの間で第１光学部材１５Ａの外端部を挟持する内枠部１６Ａと、内枠部１６Ａの外端から裏側に向けて突出して立板部１４Ｅの外面と対向する外枠部１６Ｂと、から構成される。内枠部１６Ａは、第１光学部材１５Ａを構成する波長変換シート２１の外端部を受け板部１４Ｄ側とは反対側から押さえる。内枠部１６Ａは、液晶パネル１１及び第２光学部材１５Ｂの外端部をベゼル１３との間で挟持する。
【００２０】
次に、ＬＥＤ１７及びＬＥＤ１７が実装されるＬＥＤ基板１８について説明する。ＬＥＤ１７は、ＬＥＤ基板１８上に表面実装されるとともにその発光面１７ＡがＬＥＤ基板１８側とは反対側を向いた、いわゆる頂面発光型（トップビュー型）とされており、その光軸がＺ軸方向、つまり液晶パネル１１の表示面１１ＤＳ（光学部材１５の板面）に対する法線方向（正面方向）と一致している。ここで言う「光軸」とは、ＬＥＤ１７における発光光のうち、発光強度が最も高い（ピークとなる）光の進行方向と一致する軸のことである。詳しくは、ＬＥＤ１７は、発光源として青色光を発する青色ＬＥＤ素子（青色発光素子）を封止材によってケース内に封止してなり、封止材には、青色ＬＥＤ素子からの青色光により励起されて赤色光を発する赤色蛍光体（図示せず）が含有されている。従って、ＬＥＤ１７は、青色ＬＥＤ素子から発せられる青色光（青色成分の光）と、青色ＬＥＤ素子の青色光により励起されて赤色蛍光体から発せられる赤色光（赤色成分の光）との混色により、全体としてマゼンダ色光を発することが可能とされている。そして、ＬＥＤ１７から発せられたマゼンダ色光は、その一部が詳しくは後述する波長変換シート２１によって緑色光に波長変換されるようになっている。従って、バックライト装置１２の出射光は、波長変換シート２１により波長変換された緑色光と、ＬＥＤ１７のマゼンダ色光と、の加法混色により概ね白色を呈するものとされる。ＬＥＤ１７に備わる青色ＬＥＤ素子は、例えばＩｎＧａＮなどの半導体材料からなる半導体であり、順方向に電圧が印加されることで青色の波長領域（約４２０ｎｍ〜約５００ｎｍ）に含まれる波長の青色の単色光を発光するものとされる。この青色ＬＥＤ素子は、図示しないリードフレームによってケース外に配されたＬＥＤ基板１８における配線パターンに接続される。また、赤色蛍光体は、青色ＬＥＤ素子の青色光を励起光として、赤色に属する波長領域（約６００ｎｍ〜約７８０ｎｍ）の光、つまり赤色光を蛍光光として発する。
【００２１】
ＬＥＤ基板１８は、図２及び図３に示すように、シャーシ１４内において底板部１４Ａの表側に重なる形で収容されている。ＬＥＤ基板１８の表側の板面（光学部材１５側を向いた板面）には、上記した構成のＬＥＤ１７が表面実装されており、ここが実装面１８Ａとされる。ＬＥＤ１７は、ＬＥＤ基板１８の実装面１８Ａの面内においてＸ軸方向及びＹ軸方向に沿って複数ずつ行列状（マトリクス状、碁盤目状）に並列して配されるとともに、実装面１８Ａの面内に配索形成された配線パターンによって相互が電気的に接続されている。ＬＥＤ基板１８における各ＬＥＤ１７の配列ピッチは、ほぼ一定とされ、詳しくはＸ軸方向（行方向）及びＹ軸方向（列方向）についてそれぞれほぼ等間隔に配列されている。また、ＬＥＤ基板１８は、シャーシ１４と同じアルミ系材料などの金属製とされ、その表面に絶縁層を介して銅箔などの金属膜からなる配線パターン（図示せず）が形成され、さらには最外表面には、白色を呈する反射層（図示せず）が形成された構成とされる。この反射層によりＬＥＤ基板１８と反射板１９との間の空間に存在する光を反射することで、光の利用効率を高めることができる。このような反射層は、シャーシ１４の内面にも設けるのが好ましい。なお、ＬＥＤ基板１８に用いる材料としては、セラミックなどの絶縁材料を用いることも可能である。また、ＬＥＤ基板１８には、図示しない配線部材が接続されるコネクタ部が設けられており、配線部材を介して図示しないＬＥＤ駆動基板（光源駆動基板）から駆動電力が供給されるようになっている。
【００２２】
反射板１９は、図２及び図３に示すように、ＬＥＤ１７に対して表側に、光学部材１５（波長変換シート２１を含む）に対して裏側に、Ｚ軸方向についてそれぞれ間隔を空けて配されている。反射板１９は、シャーシ１４の内面のほぼ全域にわたって敷設される大きさを有しているので、シャーシ１４内に配されたＬＥＤ基板１８をほぼ全域にわたって表側（出光側、光学部材１５側）から覆うことが可能とされる。反射板１９は、ＬＥＤ基板１８（底板部１４Ａ）に沿って延在するとともにＬＥＤ基板１８のほぼ全域に対して平面に視て重畳する大きさの反射底部１９Ａと、反射底部１９Ａの各外端部から表側（波長変換シート２１側）に向けて立ち上がるとともに反射底部１９Ａに対して傾斜状をなす４つの反射側部（反射傾斜側部）１９Ｂと、各反射側部１９Ｂの外端から外向きに延出するとともにシャーシ１４の受け板部１４Ｄに載せられる延出部１９Ｃと、から構成されている。反射板１９のうちの反射底部１９Ａは、ＬＥＤ基板１８及びそこに実装された複数のＬＥＤ１７と、光学部材１５と、の間にＺ軸方向について間隔を空けて介在する配置とされる。反射側部１９Ｂは、シャーシ１４の側板部１４Ｃと、光学部材１５と、の間にＺ軸方向について間隔を空けて介在する配置とされる。ここで、反射底部１９Ａと光学部材１５（波長変換シート２１）との間の距離は、ＬＥＤ１７からの距離に拘わらずほぼ一定とされる。これに対し、反射側部１９Ｂと光学部材１５との間の距離は、ＬＥＤ１７から遠ざかるほど短くなる傾向となる。このため、反射側部１９Ｂによる反射光が光学部材１５に到達するまでの光路長についてもＬＥＤ１７から遠ざかるほど短くなる傾向となっている。延出部１９Ｃは、シャーシ１４の受け板部１４Ｄと、光学部材１５と、の間にＺ軸方向について挟み込まれる配置とされる。なお、フレーム１６の内枠部１６Ａは、延出部１９Ｃより内側に突き出した形となっている。延出部１９Ｃは、平面に視て内枠部１６Ａにより全域が覆われた状態となっている。
【００２３】
反射板１９は、合成樹脂製とされ、表面が光の反射性に優れた白色を呈する反射基板２４を有する。反射基板２４は、その表面にて特定の波長の光を吸収することがなく、全ての可視光線を乱反射するものとされており、全域にわたって光の反射率がほぼ一定とされている。そして、反射基板２４には、図２及び図３に示すように、部分的に板面の法線方向（板厚方向）に貫通する開口部２４Ａが設けられている。本実施形態では、開口部２４Ａは、平面に視て円形状をなしている。この開口部２４Ａは、光を透過する光透過部２５を構成している。従って、反射基板２４のうちの光透過部２５（開口部２４Ａ）の非形成箇所が光を反射する光反射部２６を構成している。このように反射板１９は、その板面内に光透過部２５及び光反射部２６を有しており、それらの面内分布がＬＥＤ１７との位置関係に応じて変化するものとされる。具体的には、光透過部２５は、ＬＥＤ１７から遠ざかるほど面積比率が高くなり、ＬＥＤ１７に近づくほど面積比率が低くなる面内分布とされる。一方、光反射部２６は、ＬＥＤ１７から遠ざかるほど面積比率が低くなり、ＬＥＤ１７に近づくほど面積比率が高くなる面内分布とされる。
【００２４】
上記した光学部材１５及び反射板１９は、図３に示すように、その面内における中央側部分が、複数のＬＥＤ１７が配置されるＬＥＤ配置領域（光源配置領域）ＬＡとされるのに対し、外周端側部分（外端側部分）が、複数のＬＥＤ１７が非配置とされるＬＥＤ非配置領域（光源非配置領域）ＬＮＡとされる。なお、図３及び図４では、枠状の一点鎖線がＬＥＤ配置領域ＬＡの外形を表しており、当該一点鎖線よりも外側の領域がＬＥＤ非配置領域ＬＮＡとなっている。反射板１９のうち、反射底部１９Ａは、ＬＥＤ配置領域ＬＡとＬＥＤ非配置領域ＬＮＡとに跨って配されるのに対し、反射側部１９Ｂ及び延出部１９Ｃは、その全域がＬＥＤ非配置領域ＬＮＡに配される。より詳しくは、反射底部１９Ａのうち、中央側部分がＬＥＤ配置領域ＬＡとされるのに対し、ＬＥＤ配置領域ＬＡを取り囲む枠状の外周端側部分がＬＥＤ非配置領域ＬＮＡにおける中央側部分とされる。反射側部１９Ｂ及び延出部１９Ｃは、ＬＥＤ非配置領域ＬＮＡにおける中央側部分よりも外側に配される外周端側部分とされる。反射板１９において光透過部２５（開口部２４Ａ）は、ＬＥＤ非配置領域ＬＮＡでの面積比率が高く、ＬＥＤ配置領域ＬＡでの面積比率が低くなるよう分布している。より詳しくは、複数の光透過部２５を構成する複数の開口部２４Ａは、ＬＥＤ配置領域ＬＡである反射底部１９ＡにおいてＬＥＤ１７と重畳する配置となるものの径寸法が最小となっていて、ＬＥＤ１７からの距離が増加するほど径寸法が大きくなり、ＬＥＤ非配置領域ＬＮＡである反射側部１９Ｂに配されるものの径寸法が最大となっている。このうちの径寸法が最大となる開口部２４Ａは、４つの各反射側部１９Ｂにおいてそれぞれの長さ方向（Ｘ軸方向またはＹ軸方向）に沿って間隔を空けて複数ずつ並んで配されている。一方、光反射部２６（開口部２４Ａの非形成箇所）は、ＬＥＤ配置領域ＬＡでの面積比率が高く、ＬＥＤ非配置領域ＬＮＡでの面積比率が低くなるよう分布している。このような構成によれば、ＬＥＤ配置領域ＬＡでは、ＬＥＤ１７からの光の多くが光反射部２６により反射されることで波長変換シート２１側へ出射し難くなるのに対し、ＬＥＤ非配置領域ＬＮＡでは、ＬＥＤ１７からの光の多くが光透過部２５を透過することで波長変換シート２１側へ出射し易くなる。これにより、波長変換シート２１に照射される光の量の均一化が図られる。
【００２５】
次に、波長変換シート２１に関して詳しく説明する。波長変換シート２１は、図２に示すように、液晶パネル１１等と同様に方形状をなしており、第１光学部材１５Ａの拡散板２０と略同等の大きさである。波長変換シート２１は、拡散板２０より厚みの小さい（薄い）シート状とされる。波長変換シート２１は、ＬＥＤ１７からの光を波長変換するための蛍光体（波長変換物質）を含有する蛍光体層（波長変換層）と、蛍光体層を表裏から挟み込んでこれを保護する一対の保護層と、から構成されている。蛍光体層には、ＬＥＤ１７からのマゼンダ色光に含まれる青色光を励起光として、緑色光（約５００ｎｍ〜約５７０ｎｍの波長領域）を発する緑色蛍光体が分散配合されている。これにより、バックライト装置１２の出射光は、ＬＥＤ１７から発せられる青色光及び赤色光と、波長変換シート２１に含まれる緑色蛍光体により波長変換される緑色光と、を含むことになり、全体として白色光となる。このような緑色蛍光体としては、比較的シャープな発光スペクトルを有するものが好ましく、例えば、「ＳｒＧａ２Ｓ４：Ｅｕ２＋」等の硫化物蛍光体が用いられる。本実施形態に係る波長変換シート２１は、蛍光体層に含まれる蛍光体の分布密度が面内においてほぼ均一になっている。このようにすれば、仮に従来のように蛍光体の面内分布をＬＥＤ１７からの距離に応じて変化させる場合に比べると、波長変換シート２１の製造コストの低廉化を図る上で好適となる。
【００２６】
光学部材１５（主に波長変換シート２１）の光学作用について説明する。まず、ＬＥＤ１７を構成するＬＥＤ１７の発光面１７Ａからは、図２に示すように、青色光と赤色光からなるマゼンタ色光が一次光として出射される。ＬＥＤ１７からの一次光は、第１光学部材１５Ａを構成する拡散板２０に含有される拡散粒子により拡散作用が付与された後、その一部は、拡散板２０上の波長変換シート２１に入射する。波長変換シート２１に入射した一次光のうち、青色光の一部は、波長変換シート２１中の緑色蛍光体により波長変換されて緑色光（二次光）となって放出される。波長変換シート２１からは、緑色光と共に、波長変換されずに透過した青色光や赤色光が出射される。このように、波長変換シート２１からは、ＬＥＤ１７からの一次光（青色光、赤色光）と、波長変換後に得られた二次光（緑色光）と、が出射されることで、白色光が形成される。波長変換シート２１の出射光は、第２光学部材１５Ｂに入射し、第２光学部材１５Ｂを構成するプリズムシート２２及び反射型偏光シート２３によりそれぞれの光学作用が付与されて液晶パネル１１へと出射する。
【００２７】
ところで、上記した構成のバックライト装置１２では、ＬＥＤ１７と波長変換シート２１との間に反射板１９を介在させ、その反射板１９が、ＬＥＤ１７との位置関係に応じて面内分布が変化する光透過部２５及び光反射部２６を有することで、波長変換シート２１に照射されるＬＥＤ１７の一次光に係る光量の均一化を図るようにしている。しかしながら、特に大型のバックライト装置１２では、波長変換シート２１に照射されるＬＥＤ１７の一次光に係る光量の面内分布にムラが生じ易くなっている。すなわち、ＬＥＤ配置領域ＬＡにおいては、波長変換シート２１に照射されるＬＥＤ１７の一次光が十分に確保されるので、波長変換シート２１にて波長変換されてから出射する二次光と、波長変換シート２１にて波長変換されることなく出射する一次光と、の光量比率が適切なものとなり、色ムラが生じ難くなっている。一方、ＬＥＤ非配置領域ＬＮＡにおいては、波長変換シート２１に照射されるＬＥＤ１７の一次光が不足しがちとなっている。これに対し、波長変換シート２１の蛍光体層に含有される蛍光体の分布密度は、ほぼ均一であり、ＬＥＤ非配置領域ＬＮＡにもＬＥＤ配置領域ＬＡと同等の蛍光体が含有されている。このため、ＬＥＤ非配置領域ＬＮＡでは波長変換シート２１に照射されるＬＥＤ１７の一次光の多くが蛍光体によって二次光に波長変換されてしまい、二次光の光量比率が、波長変換シート２１にて波長変換されることなく出射する一次光の光量比率よりも大きくなりがちとされる。従って、波長変換シート２１の出射光は、ＬＥＤ配置領域ＬＡでは特定の色味を殆ど帯びることがなく白色光となるものの、ＬＥＤ非配置領域ＬＮＡでは蛍光体により波長変換された二次光と同色または同系色の色味、つまり緑色味を帯びた光となり、色ムラが生じ易くなっていた。
【００２８】
そこで、本実施形態に係るバックライト装置１２では、ＬＥＤ１７からの光が外部に出射するまでの出光経路には、図３及び図４に示すように、ＬＥＤ１７からの光と同色、又はその光を構成する各原色光と同色を呈する呈色部２７が、ＬＥＤ非配置領域ＬＮＡの一部と重畳するよう配されている。なお、図３及び図４では、呈色部２７を網掛け状にして図示している。光源非配置領域ＬＮＡでは、波長変換シート２１に照射されるＬＥＤ１７の一次光の光量が少なくなりがちとされるものの、ＬＥＤ１７の一次光と同色、又はその光を構成する各原色光と同色を呈する光を呈色部２７によって補うことができる。これにより、ＬＥＤ非配置領域ＬＮＡにおいて波長変換シート２１に照射されるＬＥＤ１７の一次光に不足が生じ難くなるので、波長変換シート２１にて波長変換されてから出射する二次光と、波長変換シート２１にて波長変換されることなく出射する一次光と、の光量比率が適正化され、もって色ムラの発生が抑制される。
【００２９】
呈色部２７について詳しく説明する。まず、呈色部２７は、図４から図６に示すように、反射板１９に設けられている。このようにすれば、反射板１９に設けられた呈色部２７によって呈色された光を反射板１９により反射して波長変換シート２１に照射することができる。反射板１９は、本来的に光の一部を透過させるために反射基板２４に開口部２４Ａを形成するなどの加工を要することから、その反射板１９に呈色部２７を設けるための加工を行うようにすることで、仮に波長変換シート２１などに呈色部を設ける場合に比べると、低コスト化を図る上で好適となる。呈色部２７は、反射板１９における表側（波長変換シート２１側）を向いた板面に設けられている。このようにすれば、波長変換シート２１を含む光学部材１５により反射された光を呈色部２７により直接的に呈色させて再び反射板１９により反射して波長変換シート２１へ向かわせることができる。仮に、反射板１９における裏側（ＬＥＤ１７側）を向いた板面に呈色部を設けた場合に比べると、呈色部２７により呈色作用が付与された光を効率的に波長変換シート２１に照射させることができる。
【００３０】
呈色部２７は、反射板１９との比較においてＬＥＤ１７の光の色味に近い色味を呈する。すなわち、白色を呈する反射板１９（反射基板２４）に対し、呈色部２７は、ＬＥＤ１７の光の色味、つまりマゼンダ色味を呈するものとされる。呈色部２７は、反射板１９の表面にマゼンダ色を呈する塗料（顔料または染料を含む）を公知の塗工技術（例えば、印刷技術）などを用いて塗布して形成される塗膜からなる。呈色部２７は、ＬＥＤ１７から発せられた光（マゼンタ色光）の色と補色の関係にある色の光（緑色光）の吸収率が、ＬＥＤ１７から発せられた光（マゼンタ色光（青色光、赤色光））の吸収率よりも高くなっている。また、呈色部２７は、ＬＥＤ１７から発せられた光（マゼンタ色光（青色光、赤色光））の反射率が、ＬＥＤ１７から発せられた光と補色の関係にある色の光（緑色光）の反射率よりも高くなっている。つまり、呈色部２７は、緑色光を吸収して、マゼンタ色光（青色光、赤色光）を反射する機能を備えている。これにより、呈色部２７で反射された光（例えば、白色の戻り光）は、呈色部２７が設けられていない白色の部分（反射板１９）で反射された場合と比べて、マゼンタ色を帯びることになる。また、呈色部２７の非形成箇所からは、白色を呈する反射板１９の表面が露出している。
【００３１】
呈色部２７は、図４に示すように、平面視で略円形のドット状をなしており、反射板１９のうちの反射側部１９Ｂに専ら設けられている。ここで、既述した通り、反射側部１９Ｂによる反射光が波長変換シート２１に到達するまでの光路長は、ＬＥＤ１７から遠ざかるほど短くなる傾向となっている。この反射側部１９Ｂに呈色部２７が設けられることで、呈色部２７によって呈色作用を付与されたマゼンタ色の光は、反射側部１９Ｂによって反射されて波長変換シート２１に効率的に照射される。従って、反射側部１９Ｂに設ける呈色部２７の面積を小さくすることが可能となる。呈色部２７は、光の利用効率を少なからず悪化させる要因となることから、その面積を小さくすることで、光の利用効率の悪化を抑制することができる。呈色部２７は、反射側部１９Ｂにおいて光透過部２５（開口部２４Ａ）から離間した位置に配されている。つまり、呈色部２７は、専ら光反射部２６に設けられているので、呈色部２７により呈色作用を付与された光を光反射部２６により反射して波長変換シート２１に効率的に照射することができる。本実施形態に係る反射板１９は、光透過部２５が反射板１９の外端から十分に離間した配置とされるとともに、隣り合う光透過部２５の間に十分な間隔が空けられている。すなわち、光透過部２５の周囲には呈色部２７を設置するためのスペースが十分に確保されているので、呈色部２７を光反射部２６に対して適切に設置することができる。より詳しくは、呈色部２７は、反射側部１９Ｂにおいてその長さ方向について隣り合う光透過部２５の間となる位置に反射側部１９Ｂの幅方向に沿って２つずつ設けられている。それに加えて、呈色部２７は、短辺側の一対の反射側部１９Ｂにおいては、各光透過部２５に対して短辺側の各反射側部１９Ｂの幅方向（Ｘ軸方向）について外端側（反射底部１９Ａ側とは反対側）に離間した位置にそれぞれ設けられている。また、呈色部２７は、四隅の角位置に配される各光透過部２５に対してＸ軸方向及びＹ軸方向の斜め方向について外端側に離間した位置にもそれぞれ設けられている。なお、本実施形態に係る呈色部２７は、径寸法（大きさ）や濃度（色の濃さ）がほぼ同一とされているが、必ずしもその限りではない。すなわち、ＬＥＤ１７の配光分布などの諸条件に応じて呈色部２７の径寸法や濃度を配置に応じて適宜に変化させる設計を採ることも可能である。
【００３２】
以上説明したように本実施形態のバックライト装置（照明装置）１２は、ＬＥＤ（光源）１７と、ＬＥＤ１７に対して出光側に間隔を空けて配されてＬＥＤ１７から発せられた光の少なくとも一部を透過する反射板１９と、反射板１９に対してＬＥＤ１７側とは反対側に間隔を空けて配されてＬＥＤ１７からの光の少なくとも一部を波長変換する蛍光体を含む波長変換シート２１と、波長変換シート２１及び反射板１９における中央側に位置していてＬＥＤ１７が配置されるＬＥＤ配置領域（光源配置領域）ＬＡと、波長変換シート２１及び反射板１９における外端側に位置していてＬＥＤ１７が非配置とされるＬＥＤ非配置領域（光源非配置領域）ＬＮＡと、ＬＥＤ１７からの光が外部に出射するまでの出光経路においてＬＥＤ非配置領域ＬＮＡの一部と重畳するよう配されていて、ＬＥＤ１７からの光と同色、又はその光を構成する各原色光と同色を呈する呈色部２７と、を備える。
【００３３】
このようにすれば、ＬＥＤ１７から発せられた光は、反射板１９を直接透過するか、若しくは反射板１９により反射された後に透過する。反射板１９を透過した光は、波長変換シート２１に照射され、波長変換シート２１を透過する際に少なくとも一部が蛍光体により波長変換されて外部に出射される。ここで、波長変換シート２１及び反射板１９における中央側に位置していてＬＥＤ１７が配置されるＬＥＤ配置領域ＬＡでは、波長変換シート２１に照射されるＬＥＤ１７の光が十分に確保されている。従って、ＬＥＤ配置領域ＬＡでは、波長変換シート２１にて波長変換されてから出射する光と、波長変換シート２１にて波長変換されることなく出射する光と、の光量比率が適切なものとなり、色ムラが生じ難くなっている。一方、波長変換シート２１及び反射板１９における外端側に位置していてＬＥＤ１７が非配置とされるＬＥＤ非配置領域ＬＮＡでは、波長変換シート２１に照射されるＬＥＤ１７の光が不足しがちとなっている。このため、ＬＥＤ非配置領域ＬＮＡでは、波長変換シート２１にて波長変換されてから出射する光の光量比率が、波長変換シート２１にて波長変換されることなく出射する光の光量比率よりも大きくなりがちとされ、それに起因して色ムラが生じ易くなっている。
【００３４】
これに対し、ＬＥＤ１７からの光が外部に出射するまでの出光経路には、ＬＥＤ１７からの光と同色、又はその光を構成する各原色光と同色を呈する呈色部２７が、ＬＥＤ非配置領域ＬＮＡの一部と重畳するよう配されているので、ＬＥＤ非配置領域ＬＮＡにおいて不足しがちなＬＥＤ１７の光と同色、又はその光を構成する各原色光と同色を呈する光を呈色部２７によって補うことができる。これにより、ＬＥＤ非配置領域ＬＮＡにおいて波長変換シート２１に照射されるＬＥＤ１７の光に不足が生じ難くなるので、波長変換シート２１にて波長変換されてから出射する光と、波長変換シート２１にて波長変換されることなく出射する光と、の光量比率が適正化され、もって色ムラの発生が抑制される。
【００３５】
また、呈色部２７は、反射板１９に設けられている。このようにすれば、反射板１９に設けられた呈色部２７によって呈色された光を反射板１９により反射して波長変換シート２１に照射することができる。反射板１９は、本来的に光の一部を透過させるための加工を要する場合があることから、その反射板１９に呈色部２７を設けるための加工を行うようにすることで、仮に波長変換シート２１などに呈色部を設ける場合に比べると、低コスト化を図る上で好適となる。
【００３６】
また、呈色部２７は、反射板１９における波長変換シート２１側の板面に設けられている。このようにすれば、波長変換シート２１などにより反射された光が生じた場合は、その反射光を呈色部２７により直接的に呈色させて再び反射板１９により反射して波長変換シート２１へ向かわせることができる。仮に、反射板１９におけるＬＥＤ１７側の板面に呈色部を設けた場合に比べると、呈色部２７により呈色作用が付与された光を効率的に波長変換シート２１に照射させることができる。
【００３７】
また、反射板１９は、光を反射する光反射部２６と、光を透過する光透過部２５と、を有しており、呈色部２７は、光反射部２６に設けられていて光透過部２５から離間した位置に配されている。このようにすれば、光反射部２６に呈色部２７が設けられることで、呈色部２７により呈色作用を付与された光を光反射部２６により反射し、波長変換シート２１へ向かわせることができる。光反射部２６に呈色部２７を設置するに際し、呈色部２７の設置スペースを十分に確保できる場合に好適であり、呈色部２７を光反射部２６に対して適切に設置することができる。
【００３８】
また、反射板１９は、少なくともＬＥＤ配置領域ＬＡに配される反射底部１９Ａと、ＬＥＤ非配置領域ＬＮＡに配されて反射底部１９Ａから外端側に傾斜しつつ波長変換シート２１側に向かって立ち上がる反射側部１９Ｂと、を少なくとも有しており、呈色部２７は、少なくとも反射側部１９Ｂに設けられている。このようにすれば、反射側部１９Ｂと波長変換シート２１との間の距離は、ＬＥＤ１７から遠ざかるほど短くなる傾向となるため、反射側部１９Ｂによる反射光が波長変換シート２１に到達するまでの光路長もＬＥＤ１７から遠ざかるほど短くなる傾向となる。この反射側部１９Ｂに呈色部２７を設けることで、呈色部２７によって呈色作用を付与された光は、反射側部１９Ｂによって反射されて波長変換シート２１に効率的に照射される。従って、反射側部１９Ｂに設ける呈色部２７の面積を小さくすることが可能となる。呈色部２７は、光の利用効率を少なからず悪化させる要因となることから、その面積を小さくすることで、光の利用効率の悪化を抑制することができる。
【００３９】
また、反射板１９は、光を反射する光反射部２６と、光を透過する光透過部２５と、を有しており、光反射部２６は、ＬＥＤ非配置領域ＬＮＡよりもＬＥＤ配置領域ＬＡの方が面積比率が高くなるよう設けられ、光透過部２５は、ＬＥＤ配置領域ＬＡよりもＬＥＤ非配置領域ＬＮＡの方が面積比率が高くなるよう設けられている。このようにすれば、反射板１９は、ＬＥＤ配置領域ＬＡにおける光反射部２６の面積比率が高く且つ光透過部２５の面積比率が低くなっているのに対し、ＬＥＤ非配置領域ＬＮＡにおける光反射部２６の面積比率が低く且つ光透過部２５の面積比率が高くなっている。従って、ＬＥＤ配置領域ＬＡでは、ＬＥＤ１７からの光の多くが光反射部２６により反射されることで波長変換シート２１側へ出射し難くなるのに対し、ＬＥＤ非配置領域ＬＮＡでは、ＬＥＤ１７からの光の多くが光透過部２５を透過することで波長変換シート２１側へ出射し易くなる。これにより、波長変換シート２１に照射される光の量の均一化が図られる。
【００４０】
また、反射板１９は、光を反射する反射基板２４を有していて、反射基板２４を部分的に開口させることで光を透過する光透過部２５が形成されるのに対し、反射基板２４のうちの光透過部２５の非形成箇所が光を反射する光反射部２６を構成する。このようにすれば、反射基板２４を部分的に開口させることで光透過部２５を形成することができ、反射基板２４のうちの開口されない箇所が光反射部２６となる。これにより、反射基板２４の開口部（開口）２４Ａからなる光透過部２５の位置精度及び寸法精度が高いものとなるので、光反射部２６及び光透過部２５による光反射性能及び光透過性能を適切に発揮させることができる。
【００４１】
また、ＬＥＤ１７は、青色光と赤色光とを含むマゼンタ色光を発し、波長変換シート２１は、蛍光体として、青色光を緑色光に波長変換する緑色蛍光体を含む。このようにすれば、ＬＥＤ１７から発せられたマゼンダ色光には、青色光と赤色光とが含まれているから、波長変換シート２１を透過する際には、マゼンダ色光に含まれる青色光が緑色光に波長変換される。これにより、当該バックライト装置１２の出射光には、青色光、緑色光及び赤色光が含まれ、全体として白色光となる。
【００４２】
また、本実施形態に係る液晶表示装置（表示装置）１０は、上記記載のバックライト装置１２と、バックライト装置１２から照射される光を利用して画像を表示する液晶パネル（表示パネル）１１と、を備える。このような液晶表示装置１０によれば、バックライト装置１２の出射光に色ムラが生じ難くなっているから、色ムラが抑制された優れた表示品位が得られる。
【００４３】
また、本実施形態に係るテレビ受信装置１０ＴＶは、上記記載の液晶表示装置１０を備える。このようなテレビ受信装置１０ＴＶによれば、液晶表示装置１０の表示品位が優れたものとされているから、表示品位に優れたテレビ画像の表示を実現することができる。
【００４４】
＜実施形態２＞
本発明の実施形態２を図７から図９によって説明する。この実施形態２では、呈色部１２７の構成を変更したものを示す。なお、上記した実施形態１と同様の構造、作用及び効果について重複する説明は省略する。
【００４５】
本実施形態に係る呈色部１２７は、図７から図９に示すように、反射板１１９の反射側部１１９Ｂに設けられた光透過部１２５を取り囲むよう配されており、平面に視て光透過部１２５の外形に倣う円環状をなしている。つまり、呈色部１２７は、光透過部１２５を構成する開口部１２４Ａの開口縁と重畳するよう、光反射部１２６に設けられている。本実施形態では、反射板１１９は、光透過部１２５と反射板１１９の外端との間の距離が上記した実施形態１に比べると短くされるとともに、隣り合う光透過部１２５の間の間隔が上記した実施形態１に比べると狭くされている。すなわち、光透過部１２５の周囲には呈色部１２７を設置するためのスペースを確保するのが難しくなっているものの、光透過部１２５を取り囲む形で呈色部１２７を設けることで呈色部１２７を適切に設置することができている。
【００４６】
以上説明したように本実施形態によれば、反射板１１９は、光を反射する光反射部１２６と、光を透過する光透過部１２５と、を有しており、呈色部１２７は、光反射部１２６に設けられていて光透過部１２５を取り囲むよう配される。このようにすれば、光反射部１２６に呈色部１２７が設けられることで、呈色部１２７により呈色作用を付与された光を光反射部１２６により反射し、波長変換シート１２１へ向かわせることができる。光反射部１２６に呈色部１２７を設置するに際し、呈色部１２７の設置スペースを十分に確保するのが難しい場合でも、呈色部１２７を光反射部１２６に対して適切に設置することができる。
【００４７】
＜実施形態３＞
本発明の実施形態３を図１０によって説明する。この実施形態３では、上記した実施形態１から呈色部２２７の面積比率（大きさ、径寸法）を変更したものを示す。なお、上記した実施形態１と同様の構造、作用及び効果について重複する説明は省略する。
【００４８】
本実施形態に係る呈色部２２７は、図１０に示すように、ＬＥＤ２１７からの距離に応じて光反射部２２６に占める面積比率が変化するよう形成されている。詳しくは、隣り合う光透過部２２５（開口部２２４Ａ）の間に配される２つの呈色部２２７のうち、ＬＥＤ２１７に近い側の呈色部２２７の面積比率が最小となり、ＬＥＤ２１７から遠い側の呈色部２２７の面積比率がそれに次いで小さい。一方、反射板２１９における角位置に配された各光透過部２２５に対してＸ軸方向及びＹ軸方向の斜め方向に隣り合う呈色部２２７の面積比率が最大となり、反射板２１９における短辺側の各反射側部２１９Ｂに配された各光透過部２２５に対してＸ軸方向について外端側に隣り合う呈色部２２７の面積比率がそれに次いで大きい。このように、呈色部２２７は、ＬＥＤ２１７に近い（距離が小さい）ものほど面積比率が小さく、ＬＥＤ２１７から遠い（距離が大きい）ものほど面積比率が大きくなっている。このような呈色部２２７によれば、ＬＥＤ非配置領域ＬＮＡにおいて不足しがちなＬＥＤ２１７の一次光と同じマゼンタ色光を効率的に補うことができ、ＬＥＤ非配置領域ＬＮＡにおいて波長変換シート（図示せず）に照射される光の量の均一化を図ることができる。
【００４９】
以上説明したように本実施形態によれば、呈色部２２７は、ＬＥＤ２１７からの距離が大きくなるほど面積比率が大きく（高く）なるよう配される。ＬＥＤ非配置領域ＬＮＡでは、ＬＥＤ２１７からの距離が大きくなるほど、波長変換シートに照射されるＬＥＤ２１７の光が少なくなる傾向にある。その点、呈色部２２７は、ＬＥＤ２１７からの距離が大きくなるほど面積比率が大きくなるよう配されているので、ＬＥＤ非配置領域ＬＮＡにおいて不足しがちなＬＥＤ２１７の光と同色、又はその光を構成する各原色光と同色を呈する光を効率的に補うことができ、ＬＥＤ非配置領域ＬＮＡにおいて波長変換シートに照射される光の量の均一化を図ることができる。
【００５０】
＜実施形態４＞
本発明の実施形態４を図１１によって説明する。この実施形態４では、上記した実施形態３から呈色部３２７の設置対象を変更したものを示す。なお、上記した実施形態３と同様の構造、作用及び効果について重複する説明は省略する。
【００５１】
本実施形態に係る呈色部３２７は、図１１に示すように、光学部材３１５に含まれて波長変換シート３２１に対してＺ軸方向について裏側（ＬＥＤ３１７側）に配される拡散板３２０に設けられている。呈色部３２７は、拡散板３２０における裏側の板面、つまりＬＥＤ３１７との対向面に設けられている。呈色部３２７は、拡散板３２０における裏側の板面にマゼンダ色の塗料を印刷するなどの手法によりそれぞれ形成されている。
【００５２】
以上説明したように本実施形態によれば、波長変換シート３２１に対して反射板３１９側に重なる形で配される拡散板（光学部材）３２０を備えており、呈色部３２７は、拡散板３２０に設けられている。このようにすれば、拡散板３２０に照射された光は、拡散板３２０に設けられた呈色部３２７による呈色作用を付与された後に波長変換シート３２１に照射される。
【００５３】
＜実施形態５＞
本発明の実施形態５を図１２によって説明する。この実施形態５では、上記した実施形態３から呈色部４２７の設置対象を変更したものを示す。なお、上記した実施形態３と同様の構造、作用及び効果について重複する説明は省略する。
【００５４】
本実施形態に係る呈色部４２７は、図１２に示すように、光学部材４１５に含まれる波長変換シート４２１に設けられている。呈色部４２７は、波長変換シート４２１における裏側の板面、つまり拡散板４２０との対向面に設けられている。呈色部４２７は、波長変換シート４２１における裏側の板面にマゼンダ色の塗料を印刷するなどの手法によりそれぞれ形成されている。
【００５５】
以上説明したように本実施形態によれば、呈色部４２７は、波長変換シート４２１に設けられている。このようにすれば、波長変換シート４２１に照射された光は、波長変換シート４２１に設けられた呈色部４２７により呈色作用を付与される。
【００５６】
＜実施形態６＞
本発明の実施形態６を図１３によって説明する。この実施形態６では、上記した実施形態１から反射板５１９の構成を変更したものを示す。なお、上記した実施形態１と同様の構造、作用及び効果について重複する説明は省略する。
【００５７】
本実施形態に係る反射板５１９は、図１３に示すように、光を透過する透過基板２８を有する。透過基板２８は、ほぼ透明な合成樹脂製（例えばＰＥＴ製）の板材からなる。透過基板２８の板面には、部分的に光反射部５２６が形成されている。光反射部５２６は、光反射率に優れた白色を呈するインク（白色塗料）からなる。光反射部５２６は、透過基板２８における表側（波長変換シート５２１側）の板面に対して例えばスクリーン印刷、インクジェット装置やディスペンサ装置を用いた印刷、グラビア印刷などにより印刷形成される。それ以外にも、光反射部５２６の材料を金属材料（アルミニウムや銀など）とし、蒸着法（マスク蒸着）により金属薄膜を透過基板２８の板面に蒸着することで光反射部５２６を形成することも可能である。そして、透過基板２８のうち、光反射部５２６の非形成箇所が光を透過する光透過部５２５を構成している。このような構成によれば、仮に上記した実施形態１のように反射板１９を構成する反射基板２４に部分的に開口部２４Ａを形成することで光透過部２５及び光反射部２６を形成した場合（図５を参照）に比べると、反射板５１９の製造が容易となって製造コストを低廉化する上で好適となる。特に、光透過部５２５及び光反射部５２６の配列パターンが複雑な場合に有用である。
【００５８】
以上説明したように本実施形態によれば、反射板５１９は、光を透過する透過基板２８を有していて、透過基板２８の板面に部分的に光を反射する光反射部５２６が形成されるのに対し、透過基板２８のうちの光反射部５２６の非形成箇所が光を透過する光透過部５２５を構成する。このようにすれば、透過基板２８の板面にインクなどを塗布することで光反射部５２６を部分的に形成することができ、透過基板２８のうちのインクなどが塗布されない箇所が光透過部５２５となる。これにより、反射板５１９の製造が容易となって製造コストを低廉化する上で好適となる。特に、光反射部５２６及び光透過部５２５が複雑な場合に有用である。
【００５９】
＜実施形態７＞
本発明の実施形態７を図１４によって説明する。この実施形態７では、上記した実施形態１からシャーシ６１４及び反射板６１９の構成などを変更したものを示す。なお、上記した実施形態１と同様の構造、作用及び効果について重複する説明は省略する。
【００６０】
本実施形態に係るシャーシ６１４は、図１４に示すように、側板部６１４Ｃが底板部６１４Ａの外端部から表側にほぼ垂直に立ち上がる構成とされる。これに伴い、反射板６１９は、反射側部６１９Ｂが反射底部６１９Ａの外端部から表側にほぼ垂直に立ち上がって側板部６１４Ｃに並行する構成とされる。従って、上記した実施形態１に比べると、反射底部６１９Ａは、ＬＥＤ非配置領域ＬＮＡでの面積（形成範囲）が増加しているのに対し、反射側部６１９Ｂは、ＬＥＤ非配置領域ＬＮＡでの面積が減少している。そして、呈色部６２７は、反射側部６１９Ｂに加えて反射底部６１９Ａにも設けられている。一方、反射側部６１９Ｂには、開口部６２４Ａが非形成とされている。
【００６１】
＜他の実施形態＞
本発明は上記記述及び図面によって説明した実施形態に限定されるものではなく、例えば次のような実施形態も本発明の技術的範囲に含まれる。
（１）上記した各実施形態では、呈色部が、反射板、拡散板及び波長変換シートのうちのいずれか１つに選択的に設けられる場合を示したが、呈色部が反射板、拡散板及び波長変換シートのうちの複数にそれぞれ設けられていても構わない。
（２）上記した各実施形態では、呈色部が、シャーシ、反射板、拡散板及び波長変換シートのうちのいずれか１つに選択的に設けられる場合を示したが、呈色部がシャーシ、反射板、拡散板及び波長変換シートのうちの複数にそれぞれ設けられていても構わない。
（３）上記した各実施形態の変形例として、シャーシ及びＬＥＤ基板の表面を覆う反射シートを追加することも可能である。この反射シートは、反射板との間で光を繰り返し反射することができるので、光の利用効率の向上を図る上で好適となる。
（４）上記した各実施形態（実施形態４，５を除く）では、呈色部が反射板における表側の板面に設けられる場合を示したが、呈色部が反射板における裏側の板面に設けられていても構わない。
（５）上記した実施形態６の変形例として、光透過部と重畳する位置（透過基板における光反射部の非形成箇所）に呈色部を設置することも可能である。
（６）上記した各実施形態（実施形態４，５を除く）では、反射板を構成する４つの反射側部の全てに呈色部を設けるようにした場合を示したが、４つの反射側部のうちの一部に呈色部を設けるようにし、呈色部が非形成とされる反射側部が存在していても構わない。
（７）上記した各実施形態での図示以外にも、呈色部の径寸法（大きさ、面積比率）・配置・設置数・平面形状などは、適宜に変更可能である。呈色部における平面形状は、例えば、四角形、三角形状等の多角形状、楕円形状、不規則な形状等、本願発明の目的を損なわない限り、特に制限はない。
（８）上記した各実施形態の変形例として、呈色部が塗料からなる場合は、その濃度を配置に応じるなどして適宜に変更することも可能である。これらの設計に際しては、ＬＥＤの設置数・ＬＥＤの配置などに応じて行うのが好ましい。
（９）上記した各実施形態では、呈色部として塗膜からなるものを例示したが、それ以外にも、例えばＬＥＤから発せられた光と同色のセロファン等を呈色部として用いてもよい。但し、上記した各実施形態に記載された塗膜からなる呈色部は、既存の塗工装置（印刷装置等）を使用して形成することができ、しかも形成速度が速く好ましい。
（１０）上記した各実施形態では、マゼンタ色（つまり、ＬＥＤから発せられた光と同色）の呈色部を使用したが、本発明はこれに限られず、ＬＥＤから発せられた光を構成する各原色光と同色の呈色部であってもよい。例えば、ＬＥＤからの光がマゼンタ色光（青色光、赤色光）の場合、マゼンタ色光を構成する青色光（原色光の一例）と同色の呈色部（青色呈色部）と、赤色光（原色光の一例）と同色の呈色部（赤色呈色部）とを組み合わせたものを、マゼンタ色の呈色部に代わるものとして使用してもよい。
（１１）上記した各実施形態では、マゼンタ色光（青色光、赤色光）を出射するＬＥＤを使用したが、それ以外にも、例えば青色光を一次光として出射するＬＥＤを使用し、蛍光体として、青色光を緑色光に波長変換する緑色蛍光体と、青色光を赤色光に波長変換する赤色蛍光体とを含む波長変換シートを使用してもよい。この場合、波長変換シートからは、前記蛍光体で波長変換された二次光として、緑色光と赤色光が出射される。呈色部は、ＬＥＤと同色の青色を呈するようにすればよい。また、緑色蛍光体として、例えば、ＳｒＧａ２Ｓ４：Ｅｕ２＋を使用し、赤色蛍光体として、例えば、（Ｃａ，Ｓｒ，Ｂａ）Ｓ：Ｅｕ２＋を使用してもよい。
（１２）また、他の場合としては、青色光を一次光として出射するＬＥＤを使用し、蛍光体として、青色光を黄色光に波長変換する黄色蛍光体を含む波長変換シートを使用してもよい。この場合、波長変換シートからは、前記蛍光体で波長変換された二次光として、黄色光が出射される。呈色部は、ＬＥＤと同色の青色を呈するようにすればよい。
（１３）また、他の場合としては、紫色の光を出射するＬＥＤを使用し、蛍光体として、黄色蛍光体及び緑色蛍光体を含む波長変換シートを使用してもよい。この場合、呈色部は、紫色を呈するようにすればよい。
（１４）また、他の場合としては、シアン色の光を出射するＬＥＤを使用し、蛍光体として、赤色蛍光体を含む波長変換シートを使用してもよい。この場合、呈色部は、シアン色を呈するようにすればよい。
（１５）上記した各実施形態では、波長変換シートの蛍光体として、硫黄化物蛍光体を使用したが、本発明はこれに限られず、例えば、量子ドット蛍光体(Quantum Dot Phosphor)を用いてもよい。量子ドット蛍光体は、ナノサイズ（例えば、直径２ｎｍ〜１０ｎｍ程度）の半導体結晶中に電子・正孔や励起子を三次元空間方位で閉じ込めることで、離散的エネルギー準位を有しており、そのドットのサイズを変えることで発光光のピーク波長（発光色）等を適宜選択することができる。なお、量子ドット蛍光体は、空気中の酸素や水分と反応して劣化し易く、また環境負荷物質であるカドミウム等を使用するため、波長変換シートの蛍光体としては、上述した硫化物蛍光体が好ましい。硫化物蛍光体は、二酸化ケイ素膜で被覆されており、また、波長変換シート中にガス吸収材を添加することで、高温高湿環境下においても、信頼性が高いと言える。
（１６）上記した各実施形態では、波長変換シートの裏側に光学部材である拡散板が積層配置される場合を示したが、拡散板以外の光学部材を波長変換シートの裏側に積層配置することができ、場合によってはその光学部材に呈色部を設けることも可能である。
（１７）上記した各実施形態では、シャーシが金属製とされた場合を例示したが、シャーシを合成樹脂製とすることも可能である。
（１８）上記した各実施形態では、光源としてＬＥＤを用いたものを示したが、有機ＥＬなどを用いることも可能である。また、ＬＥＤや有機ＥＬなどの光源の設置数・配置などは適宜に変更可能である。また、ＬＥＤや有機ＥＬなどの光源が実装された光源基板の設置数なども適宜に変更可能である。
（１９）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
（２０）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
（２１）上記した各実施形態では、透過型の液晶表示装置を例示したが、それ以外にも反射型の液晶表示装置や半透過型の液晶表示装置にも本発明は適用可能である。
（２２）上記した各実施形態では、表示パネルとして液晶パネルを用いた液晶表示装置を例示したが、他の種類の表示パネルを用いた表示装置にも本発明は適用可能である。
（２３）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【００６２】
１０…液晶表示装置（表示装置）、１０ＴＶ…テレビ受信装置、１１…液晶パネル（表示パネル）、１２…バックライト装置（照明装置）、１７，２１７，３１７…ＬＥＤ（光源）、１９，１１９，２１９，３１９，５１９，６１９…反射板、１９Ａ，６１９Ａ…反射底部、１９Ｂ，１１９Ｂ，２１９Ｂ，６１９Ｂ…反射側部、２０，３２０，４２０…拡散板（光学部材）、２１，１２１，３２１，４２１，５２１…波長変換シート、２４…反射基板、２５，１２５，２２５，５２５…光透過部、２６，１２６，２２６，５２６…光反射部、２７，１２７，２２７，３２７，４２７，６２７…呈色部、２８…透過基板、ＬＡ…ＬＥＤ配置領域（光源配置領域）、ＬＮＡ…ＬＥＤ非配置領域（光源非配置領域）
【図１】
2019139906.tif 000003
【図２】
2019139906.tif 000004
【図３】
2019139906.tif 000005
【図４】
2019139906.tif 000006
【図５】
2019139906.tif 000007
【図６】
2019139906.tif 000008
【図７】
2019139906.tif 000009
【図８】
2019139906.tif 000010
【図９】
2019139906.tif 000011
【図１０】
2019139906.tif 000012
【図１１】
2019139906.tif 000013
【図１２】
2019139906.tif 000014
【図１３】
2019139906.tif 000015
【図１４】
2019139906.tif 000016